(57)【特許請求の範囲】
【請求項１】
コンクリート成形体の型枠を剥がす工具であって、
立設された型枠の上端部に係止可能なフック部材と、
前記フック部材が取り付けられるテコ棒部材とを有し、
前記フック部材は前記テコ棒部材に沿って高さ位置が変更可能に取り付けられたことを特徴とする型枠剥がし工具。
【請求項２】
前記コンクリート成形体はコンクリート基礎であり、前記型枠の天端部には該コンクリート基礎に埋設されるアンカーボルトを固定するアンカーボルト固定板を取り付けるための取付穴が設けられ、前記フック部材の水平片には前記取付穴に対応する貫通穴が形成されており、前記取付穴と前記貫通穴とにピン部材が挿通されて前記型枠の上端部に前記フック部材が係止されることを特徴とする請求項１に記載の型枠剥がし工具。
【発明の詳細な説明】
【０００１】
【発明の属する技術分野】
本発明は、建物のコンクリート基礎等のコンクリート成形体の型枠を剥がす工具に関するものである。
【０００２】
【従来の技術】
建物のコンクリート基礎工事において、コンクリートを打設する箇所に配筋を施して型枠を組み込み、その型枠内にコンクリートを打設した後、該コンクリートが硬化した段階で型枠を剥がす作業が行なわれている。
【０００３】
従来、型枠を剥がす際には型枠の内側上部をハンマーにより外側方向に叩いて剥がしたり、型枠とコンクリート基礎との間にバールを挿入してこじあけて剥がしたり、人手によって引っ張る等により剥がすのが一般であった。
【０００４】
【発明が解決しようとする課題】
しかしながら、前述の従来例では、ハンマーで叩いて型枠を剥がす場合、型枠の叩かれた部位が傷ついたり割れたり凹んだりするため繰り返して使用する型枠の寿命が短くなってしまい不経済であり、型枠を剥がす作業に工数と時間がかかるという問題がある。金属製の型枠では叩くと騒音になるという問題があった。
【０００５】
また、バールを使って型枠を剥がす場合には、型枠ばかりでなくコンクリート基礎までも傷つけてしまう虞があるためコンクリート基礎にクラックや欠けが生じて建物基礎の耐久性が低下する虞がある。
【０００６】
また、人手により型枠を剥がす場合には、大変な労力が必要であり、不安定な姿勢で力任せに型枠が外れると安全上の問題も有り、作業性が悪いという問題があった。
【０００７】
このような不具合を解決するために実用新案登録第2577407号公報に記載されたように型枠の上端に型枠外し工具のフックを係止し、該型枠外し工具の下端を型枠に当て、該型枠外し工具のグリップ部を握って手前に回動し、テコの原理で型枠を剥がす型枠外し工具が提案されている。
【０００８】
しかしながら、このような工具ではフックの高さ位置が一定であったため、型枠の高さが低いとフックが引っ掛けられなくなり、逆に型枠の高さが高いとフックとテコの支点との距離が一定であるため大きな労力が必要になるという問題がある。
【０００９】
また、工具のテコの支点が型枠の側面に点または線で接触するため工具に加えられた力を支点で分散することが出来ず、工具のテコの支点において工具が接触する部位で型枠が傷ついたり割れたり凹んだりする虞がある。
【００１０】
本発明は前記課題を解決するものであり、その目的とするところは、フック部材とテコ棒部材の支点との距離を変更可能にして型枠の高さに関係なく小さな力で容易に型枠を剥がすことが出来る型枠剥がし工具を提供せんとするものである。
【００１１】
【課題を解決するための手段】
前記目的を達成するための本発明に係る型枠剥がし工具は、コンクリート成形体の型枠を剥がす工具であって、立設された型枠の上端部に係止可能なフック部材と、前記フック部材が取り付けられるテコ棒部材とを有し、前記フック部材は前記テコ棒部材に沿って高さ位置が変更可能に取り付けられたことを特徴とする。
【００１２】
本発明は、上述の如く構成したので、フック部材がテコ棒部材に沿って高さ位置が変更可能に取り付けられたことで、フック部材とテコ棒部材の支点との距離を容易に変更することが出来る。従って、型枠の高さに応じてフック部材の高さ位置を変更してフック部材とテコ棒部材の支点との距離を変更し、小さな力で容易に型枠を剥がすことが出来る。
【００１３】
また、前記テコ棒部材の下端部に前記型枠の下端部周辺に配置される支点で該テコ棒部材に加えられた力を分散する伝達力分散部材を設ければ好ましい。
【００１４】
テコ棒部材の下端部に型枠の下端部周辺に配置される支点で該テコ棒部材に加えられた力を分散する伝達力分散部材を設けた場合には、支点におけるテコ棒部材に加えられた力を分散することが出来、これにより、型枠やコンクリート成形体に集中応力がかかることを防止してコンクリート成形体及び型枠の保全を確保することが出来る。
【００１５】
また、前記コンクリート成形体がコンクリート基礎であり、前記型枠の天端部には該コンクリート基礎に埋設されるアンカーボルトを固定するアンカーボルト固定板を取り付けるための取付穴が設けられ、前記フック部材の水平片には前記取付穴に対応する貫通穴が形成されており、前記取付穴と前記貫通穴とにピン部材が挿通されて前記型枠の上端部に前記フック部材が係止される場合には、予め型枠の天端部に設けられたアンカーボルト固定板を取り付けるための取付穴を利用してフック部材を容易に係止することが出来る。
【００１６】
【発明の実施の形態】
図により本発明に係る型枠剥がし工具の一実施形態を具体的に説明する。図１は本発明に係る型枠剥がし工具の構成を示す斜視図、図２はテコ棒部材の斜視図、図３（ａ），（ｂ）はフック部材の斜視図、図４（ａ），（ｂ）はフック部材の平面図及び正面図、図５は本発明に係る型枠剥がし工具を使って型枠を剥がす様子を示す図である。
【００１７】
図１〜図５において、１はコンクリート成形体となるコンクリート基礎２の型枠３を剥がすための型枠剥がし工具であり、立設された型枠３の上端部に係止可能なフック部材４と、該フック部材４が取り付けられるテコ棒部材５とを有して構成される。
【００１８】
テコ棒部材５は、図２に示すように所定の長さを有する丸鋼管５ａの下端部を伝達力分散部材として所定長さを有する断面Ｌ字型のアングル材５ｂの谷部の略中央部に溶接等により固定したものであり、アングル材５ｂの山部が型枠３の下端部周辺に配置される支点に略面接触により当接して該テコ棒部材５に加えられた力を分散する。
【００１９】
フック部材４は図３及び図４に示すように、テコ棒部材５を嵌装し得る円筒部材４ａと、該円筒部材４ａの中間部で外周面に溶接等により固定された板状部材４ｂを有しており、円筒部材４ａの外周面と板状部材４ｂの上面との間にリブ４ｃが溶接により固定されている。
【００２０】
円筒部材４ａの外周部で板状部材４ｂの反対側にはナット部４ｄが設けられており、該ナット部４ｄに蝶ネジ４ｅが螺合されている。そして、フック部材４の円筒部材４ａにテコ棒部材５を挿通した状態で該フック部材４を所望の高さ位置に設定して蝶ネジ４ｅを螺合締着することで該蝶ネジ４ｅの先端がテコ棒部材５の外周面に当接係合してフック部材４をテコ棒部材５に対して固定することが出来る。これにより、フック部材４はテコ棒部材５に沿って高さ位置が変更可能に取り付けられる。
【００２１】
一方、図５に示すように、型枠３の天端部３ａにはコンクリート基礎２に埋設されるアンカーボルト２ａを固定するアンカーボルト固定板７を取り付けるための取付穴3a1が設けられており、フック部材４の水平片となる板状部材４ｂには該取付穴3a1に対応する貫通穴４ｆが形成されている。
【００２２】
そして、図５に示すように、型枠３の天端部３ａにフック部材４の板状部材４ｂを載置した状態でフック部材４の板状部材４ｂに設けられた貫通穴４ｆと、型枠３の天端部３ａに設けられた取付穴3a1とにピン部材６を挿通することで型枠３の上端部にフック部材４を係止することが出来るようになっている。
【００２３】
本実施形態の型枠３は、図５に示すように、コンクリート基礎２側に配置される平鋼板３ｂの外周縁に断面Ｌ字型のアングル材からなる枠体が溶接により固定されており、上部アングル材の水平片からなる天端部３ａに取付穴3a1が形成されている。
【００２４】
そして、型枠３をコンクリート基礎２から剥がす際には、先ず、型枠３の高さに応じたテコ棒部材５の所定高さ位置にフック部材４を配置して蝶ネジ４ｅを螺合締着して固定する。
【００２５】
そして、図５に示すように、フック部材４の板状部材４ｂを型枠３の天端部３ａ上に載置すると共に板状部材４ｂの貫通穴４ｆと型枠３の天端部３ａの取付穴3a1との位置合せをして貫通穴４ｆ側から取付穴3a1に向けてピン部材６を挿入する。
【００２６】
そして、テコ棒部材５の下端部に設けられた伝達力分散部材となるアングル材５ｂの山部を型枠３の下部アングル材３ｃの谷部に沿って当接した状態でテコ棒部材５の上端部のグリップをコンクリート基礎２の外側に引き下げて型枠３を剥がすことが出来る。
【００２７】
尚、伝達分散部材となるアングル材５ｂは型枠３との間に当て板等を介在させて支点としても良いし、地面に突き当てて支点としても良い。
【００２８】
上記構成によれば、フック部材４がテコ棒部材５に沿って高さ位置が変更可能に取り付けられたことで、フック部材４とテコ棒部材５の支点となるアングル材５ｂとの距離を容易に変更することが出来る。従って、型枠３の高さに応じてフック部材４の高さ位置を変更してフック部材４とテコ棒部材５の支点との距離を変更し、小さな力で容易に型枠３を剥がすことが出来る。
【００２９】
また、テコ棒部材５の下端部に型枠３の下端部周辺に配置される支点で該テコ棒部材５に加えられた力を分散する伝達力分散部材となるアングル材５ｂを設けたことで支点におけるテコ棒部材５に加えられた力を分散することが出来る。本実施形態ではアングル材５ｂが型枠３の下部アングル材３ｃに対して面接触しており、これにより、型枠３やコンクリート基礎２に集中応力がかかることを防止してコンクリート基礎２及び型枠３の保全を確保することが出来る。
【００３０】
上記型枠剥がし工具１を使用して実際にコンクリート基礎２の型枠３を剥がす作業を行なったところ、コンクリート基礎２や型枠３を傷つけることなく従来の型枠剥がし作業と比較して４分の３程度の時間で実施することが出来た。
【００３１】
【発明の効果】
本発明は、上述の如き構成と作用とを有するので、フック部材がテコ棒部材に沿って高さ位置が変更可能に取り付けられたことで、フック部材とテコ棒部材の支点との距離を容易に変更することが出来る。従って、型枠の高さに応じてフック部材の高さ位置を変更してフック部材とテコ棒部材の支点との距離を変更し、小さな力で容易に型枠を剥がすことが出来る。
【００３２】
また、コンクリート成形体がコンクリート基礎であり、型枠の天端部には該コンクリート基礎に埋設されるアンカーボルトを固定するアンカーボルト固定板を取り付けるための取付穴が設けられ、フック部材の水平片には取付穴に対応する貫通穴が形成されており、取付穴と貫通穴とにピン部材が挿通されて型枠の上端部にフック部材が係止される場合には、予め型枠の天端部に設けられたアンカーボルト固定板を取り付けるための取付穴を利用してフック部材を容易に係止することが出来る。
【図面の簡単な説明】
【図１】本発明に係る型枠剥がし工具の構成を示す斜視図である。
【図２】テコ棒部材の斜視図である。
【図３】（ａ），（ｂ）はフック部材の斜視図である。
【図４】（ａ），（ｂ）はフック部材の平面図及び正面図である。
【図５】本発明に係る型枠剥がし工具を使って型枠を剥がす様子を示す図である。
【符号の説明】
１…型枠剥がし工具
２…コンクリート基礎
２ａ…アンカーボルト
３…型枠
３ａ…天端部
3a1…取付穴
３ｂ…平鋼板
３ｃ…下部アングル材
４…フック部材
４ａ…円筒部材
４ｂ…板状部材
４ｃ…リブ
４ｄ…ナット部
４ｅ…蝶ネジ
４ｆ…貫通穴
５…テコ棒部材
５ａ…丸鋼管
５ｂ…アングル材
６…ピン部材
７…アンカーボルト固定板
【図１】
0003850316.tif 000002
【図２】
0003850316.tif 000003
【図３】
0003850316.tif 000004
【図４】
0003850316.tif 000005
【図５】
0003850316.tif 000006